(57)【特許請求の範囲】
【請求項１】
表面に傾斜部が形成された板状の基材部と、
前記傾斜部に形成される加飾層と、
を備える木質建材であって、
前記加飾層は、
前記傾斜部に白色系塗料を塗布することで形成される隠蔽層と、
前記隠蔽層の表面に、着色塗料を塗布することで形成される着色層と、
を備えており、
前記傾斜部は、前記表面に連なる一端側で深さが浅く、前記表面から離れる他端側で深さが深くなるように形成された傾斜面を有しており、
前記傾斜面は、一端側と他端側とで傾斜が異なる面部を有しており、
前記面部を仮想水平面に投影した際に形成される領域を水平投影領域とし、
前記水平投影領域を同一面積の投影正方形で複数に分割し、前記面部のそれぞれの投影正方形に対応する部分に同量の白色系の塗料を塗布した場合に形成される層を通常隠蔽層とし、
前記通常隠蔽層における前記面部と対応する部位の前記一端側と前記他端側とで生じる厚みの差を通常厚み差とした場合と比較して、
前記隠蔽層は、前記通常隠蔽層とは態様が異なっており、
前記隠蔽層における前記面部と対応する部位の前記一端側と前記他端側とで生じる厚み差が前記通常厚み差よりも小さく、
前記面部の一端側における前記隠蔽層の厚さが他の部位における前記隠蔽層の厚さよりも薄くなっていることを特徴とする木質建材。
【請求項２】
前記着色層は、シアン塗料、マゼンダ塗料およびイエロー塗料の３つの塗料のみを着色塗料として用いて再現した場合に、前記面部の一端側に位置する投影正方形に対応する部分に含まれる着色塗料の量と、前記面部の他端側に位置する投影正方形に対応する部分に含まれる着色塗料の量とが異なるように形成されていることを特徴とする請求項１に記載の木質建材。
【請求項３】
表面に傾斜部が形成された板状の基材部と、
前記傾斜部に形成される加飾層と、
を備える木質建材であって、
前記加飾層は、
前記傾斜部に白色系塗料を塗布することで形成される隠蔽層と、
前記隠蔽層の表面に、着色塗料を塗布することで形成される着色層と、
を備えており、
前記傾斜部は、前記表面に連なる一端側で深さが浅く、前記表面から離れる他端側で深さが深くなるように形成された傾斜面を有しており、
前記傾斜面は、一端側と他端側とで傾斜が異なる面部を有しており、
前記面部を仮想水平面に投影した際に形成される領域を水平投影領域とし、
前記水平投影領域を同一面積の投影正方形で複数に分割し、前記面部のそれぞれの投影正方形に対応する部分に同量の着色塗料を塗布した場合に形成される層を通常着色層とした場合に、
前記着色層は、前記通常着色層とは態様が異なっており、
前記着色層は、シアン塗料、マゼンダ塗料およびイエロー塗料の３つの塗料のみを着色塗料として用いて再現した場合に、前記面部の一端側に位置する投影正方形に対応する部分に含まれる着色塗料の量と、前記面部の他端側に位置する投影正方形に対応する部分に含まれる着色塗料の量とが異なるように形成されており、
前記面部の一端側における前記着色層の厚さが他の部位における前記着色層の厚さよりも厚くなっていることを特徴とする木質建材。
【請求項４】
表面に連なる一端側で深さが浅く前記表面から離れる他端側で深さが深くなる傾斜面が形成された傾斜部を有する板状の基材部と、前記傾斜部に白色系塗料を塗布することで形成される隠蔽層と前記隠蔽層の表面に着色塗料を塗布することで形成される着色層とを有する加飾層と、を備える木質建材の製造方法であって、
前記傾斜部に白色系塗料をインクジェットにより塗布して隠蔽層を形成する隠蔽工程と、
前記隠蔽層に着色塗料をインクジェットにより塗布して着色層を形成する着色工程と、
を有する加飾工程を備え、
前記傾斜面に形成された一端側と他端側とで傾斜が異なる面部に加飾層を形成する際に、
前記面部を仮想水平面に投影した際に形成される領域を水平投影領域とし、前記水平投影領域を同一面積の投影正方形で複数に分割した場合に、前記面部のそれぞれの投影正方形に対応する部分に同量の白色系の塗料を塗布する工程を通常隠蔽工程とし、
通常隠蔽層における前記面部と対応する部位の前記一端側と前記他端側とで生じる厚みの差を通常厚み差とした場合に、
前記隠蔽層における前記面部と対応する部位の前記一端側と前記他端側とで生じる厚みの差が前記通常厚み差よりも小さくなるように、前記隠蔽工程における塗布態様を前記通常隠蔽工程とは異ならせ、
前記面部の一端側における前記隠蔽層の厚さが他の部位における前記隠蔽層の厚さよりも薄くなっていることを特徴とする木質建材の製造方法。
【請求項５】
前記隠蔽工程では、前記面部の傾斜が小さくなるにつれて前記白色系塗料の塗布量が少なくなるように、前記白色系塗料をインクジェットにより塗布することを特徴とする請求項４に記載の木質建材の製造方法。
【請求項６】
前記隠蔽工程では、前記面部の傾斜が大きい部位に前記白色系塗料をインクジェットにより複数回塗布することを特徴とする請求項４または請求項５に記載の木質建材の製造方法。
【請求項７】
前記着色工程では、シアン塗料、マゼンダ塗料およびイエロー塗料の３つの塗料のみを着色塗料として用いて前記着色層を再現した場合に、前記面部の一端側に位置する投影正方形に対応する部分に含まれる着色塗料の量と、前記面部の他端側に位置する投影正方形に対応する部分に含まれる着色塗料の量とが異なるように、前記着色塗料を塗布することを特徴とする請求項４〜６のうちいずれか１項に記載の木質建材の製造方法。
【請求項８】
表面に連なる一端側で深さが浅く前記表面から離れる他端側で深さが深くなる傾斜面が形成された傾斜部を有する板状の基材部と、前記傾斜部に白色系塗料を塗布することで形成される隠蔽層と前記隠蔽層の表面に着色塗料を塗布することで形成される着色層とを有する加飾層と、を備える木質建材の製造方法であって、
前記傾斜部に白色系塗料をインクジェットにより塗布して隠蔽層を形成する隠蔽工程と、
前記隠蔽層に着色塗料をインクジェットにより塗布して着色層を形成する着色工程と、
を有する加飾工程を備え、
前記傾斜面に形成された一端側と他端側とで傾斜が異なる面部に加飾層を形成する際に、
前記面部を仮想水平面に投影した際に形成される領域を水平投影領域とし、前記水平投影領域を同一面積の投影正方形で複数に分割した場合に、前記面部のそれぞれの投影正方形に対応する部分に同量の着色塗料を塗布する工程を通常着色工程とした場合、
前記着色工程における塗布態様が前記通常着色工程とは異なっており、
前記着色工程では、シアン塗料、マゼンダ塗料およびイエロー塗料の３つの塗料のみを着色塗料として用いて前記着色層を再現した場合に、前記面部の一端側に位置する投影正方形に対応する部分に含まれる着色塗料の量と、前記面部の他端側に位置する投影正方形に対応する部分に含まれる着色塗料の量とが異なるように、前記着色塗料を塗布し、
前記面部の一端側における前記着色層の厚さが他の部位における前記着色層の厚さよりも厚くなっていることを特徴とする木質建材の製造方法。
【発明の詳細な説明】
【技術分野】
【０００１】
本発明は、床板などに用いられる木質建材および当該木質建材の製造方法に関する。
【背景技術】
【０００２】
従来、木質建材として、板状の化粧板の表面に目地溝が形成されたものが知られている（例えば、特許文献１参照）。
【０００３】
この特許文献１では、目地溝に目止め塗料をインクジェットにより塗布して目止め層を形成し、目止め層によりコーティングされた目地溝に着色塗料をインクジェットにより塗布して着色層を形成することで目地溝を加飾している。
【０００４】
このように、特許文献１には、インクジェットにより目地溝の加飾を行う方法が提案されている。
【先行技術文献】
【特許文献】
【０００５】
【特許文献１】特開２０１２−２２４００５号公報
【発明の概要】
【発明が解決しようとする課題】
【０００６】
しかしながら、目地溝が傾斜の異なる面を有する場合に、上記特許文献１に記載の方法を用いると、目地溝の傾斜角度が部位によって異なるため、形成される目止め層や着色層の厚さにばらつきが生じてしまうことがある。
【０００７】
そして、目止め層や着色層の厚さにばらつきが生じてしまうと、加飾した目地溝に色むらが生じてしまい、木質建材の見栄えが悪化してしまうことがある。
【０００８】
そこで、本発明は、意匠性をより向上させることのできる木質建材および木質建材の製造方法を得ることを目的とする。
【課題を解決するための手段】
【０００９】
本発明にかかる木質建材は、表面に傾斜部が形成された板状の基材部と、前記傾斜部に形成される加飾層と、を備えている。
【００１０】
そして、前記加飾層は、前記傾斜部に白色系塗料を塗布することで形成される隠蔽層と、前記隠蔽層の表面に、着色塗料を塗布することで形成される着色層と、を備えている。
【００１１】
さらに、前記傾斜部は、前記表面に連なる一端側で深さが浅く、前記表面から離れる他端側で深さが深くなるように形成された傾斜面を有しており、前記傾斜面は、一端側と他端側とで傾斜が異なる面部を有している。
【００１２】
ここで、前記面部を仮想水平面に投影した際に形成される領域を水平投影領域とする。
【００１３】
そして、前記水平投影領域を同一面積の投影正方形で複数に分割し、前記面部のそれぞれの投影正方形に対応する部分に同量の白色系の塗料を塗布した場合に形成される層を通常隠蔽層とする。
【００１４】
さらに、前記通常隠蔽層における前記面部と対応する部位の前記一端側と前記他端側とで生じる厚みの差を通常厚み差とする。
【００１５】
このようにして形成された通常の木質建材と比較して、本発明にかかる木質建材は、前記隠蔽層が前記通常隠蔽層とは態様が異なっている。具体的には、前記隠蔽層における前記面部と対応する部位の前記一端側と前記他端側とで生じる厚み差が前記通常厚み差よりも小さくなっている。
【００１６】
また、木質建材を下記のようにすることもできる。
【００１７】
すなわち、木質建材は、表面に傾斜部が形成された板状の基材部と、前記傾斜部に形成される加飾層と、を備えている。
【００１８】
そして、前記加飾層は、前記傾斜部に白色系塗料を塗布することで形成される隠蔽層と、前記隠蔽層の表面に、着色塗料を塗布することで形成される着色層と、を備えている。
【００１９】
さらに、前記傾斜部は、前記表面に連なる一端側で深さが浅く、前記表面から離れる他端側で深さが深くなるように形成された傾斜面を有しており、前記傾斜面は、一端側と他端側とで傾斜が異なる面部を有している。
【００２０】
ここで、前記面部を仮想水平面に投影した際に形成される領域を水平投影領域とする。
【００２１】
そして、前記水平投影領域を同一面積の投影正方形で複数に分割し、前記面部のそれぞれの投影正方形に対応する部分に同量の着色塗料を塗布した場合に形成される層を通常着色層とする。
【００２２】
このようにして形成された通常の木質建材と比較して、本発明にかかる木質建材は、前記着色層が前記通常着色層とは態様が異なっている。
【００２３】
具体的には、前記着色層を、シアン塗料、マゼンダ塗料およびイエロー塗料の３つの塗料のみを着色塗料として用いて再現する。そして、このように再現した場合に、前記面部の一端側に位置する投影正方形に対応する部分に含まれる着色塗料の量と、前記面部の他端側に位置する投影正方形に対応する部分に含まれる着色塗料の量とが異なるようにする。
【００２４】
また、本発明にかかる木質建材の製造方法で用いる木質建材は、傾斜部を有する板状の基材部と、前記傾斜部に白色系塗料を塗布することで形成される隠蔽層と前記隠蔽層の表面に着色塗料を塗布することで形成される着色層とを有する加飾層と、を備えている。
【００２５】
さらに、前記傾斜面には表面に連なる一端側で深さが浅く前記表面から離れる他端側で深さが深くなる傾斜面が形成されている。
【００２６】
ここで、本発明にかかる木質建材の製造方法は、前記傾斜部に白色系塗料をインクジェットにより塗布して隠蔽層を形成する隠蔽工程と、前記隠蔽層に着色塗料をインクジェットにより塗布して着色層を形成する着色工程と、を有する加飾工程を備えている。
【００２７】
そして、前記傾斜面に形成された一端側と他端側とで傾斜が異なる面部に加飾層を形成する際に、前記面部を仮想水平面に投影した際に形成される領域を水平投影領域とする。
【００２８】
また、前記水平投影領域を同一面積の投影正方形で複数に分割した場合に、前記面部のそれぞれの投影正方形に対応する部分に同量の白色系の塗料を塗布する工程を通常隠蔽工程とする。
【００２９】
さらに、通常隠蔽層における前記面部と対応する部位の前記一端側と前記他端側とで生じる厚みの差を通常厚み差とする。
【００３０】
このような通常の製造方法と比較して、本発明にかかる木質建材の製造方法は、前記隠蔽工程における塗布態様を前記通常隠蔽工程とは異ならせている。具体的には、前記隠蔽層における前記面部と対応する部位の前記一端側と前記他端側とで生じる厚みの差が前記通常厚み差よりも小さくなるように、前記隠蔽工程における塗布態様を前記通常隠蔽工程とは異ならせている。
【００３１】
また、木質建材の製造方法を下記のようにすることもできる。
【００３２】
すなわち、木質建材の製造方法で用いる木質建材は、傾斜部を有する板状の基材部と、前記傾斜部に白色系塗料を塗布することで形成される隠蔽層と前記隠蔽層の表面に着色塗料を塗布することで形成される着色層とを有する加飾層と、を備えている。
【００３３】
さらに、前記傾斜面には表面に連なる一端側で深さが浅く前記表面から離れる他端側で深さが深くなる傾斜面が形成されている。
【００３４】
ここで、本発明にかかる木質建材の製造方法は、前記傾斜部に白色系塗料をインクジェットにより塗布して隠蔽層を形成する隠蔽工程と、前記隠蔽層に着色塗料をインクジェットにより塗布して着色層を形成する着色工程と、を有する加飾工程を備えている。
【００３５】
そして、前記傾斜面に形成された一端側と他端側とで傾斜が異なる面部に加飾層を形成する際に、前記面部を仮想水平面に投影した際に形成される領域を水平投影領域とする。
【００３６】
また、前記水平投影領域を同一面積の投影正方形で複数に分割した場合に、前記面部のそれぞれの投影正方形に対応する部分に同量の着色塗料を塗布する工程を通常着色工程とする。
【００３７】
このような通常の製造方法と比較して、本発明にかかる木質建材の製造方法は、前記着色工程における塗布態様が前記通常着色工程とは異なっている。
【００３８】
具体的には、シアン塗料、マゼンダ塗料およびイエロー塗料の３つの塗料のみを着色塗料として用いて前記着色層を再現する。そして、このように再現した場合に、前記面部の一端側に位置する投影正方形に対応する部分に含まれる着色塗料の量と、前記面部の他端側に位置する投影正方形に対応する部分に含まれる着色塗料の量とが異なるように、前記着色塗料を塗布する。
【発明の効果】
【００３９】
本発明によれば、意匠性をより向上させることのできる木質建材および木質建材の製造方法を得ることができる。
【図面の簡単な説明】
【００４０】
【図１】本発明の第１実施形態にかかる木質建材を模式的に示す斜視図である。
【図２】本発明の第１実施形態にかかる木質建材を模式的に示す断面図である。
【図３】比較例にかかる木質建材を模式的に示す断面図である。
【図４】本発明の第１実施形態にかかる木質建材の隠蔽層の状態を模式的に説明する説明図である。
【図５】本発明の第１実施形態にかかる木質建材の製造方法の一例を示す図であって、基材部の表面に目止め層を形成する工程を模式的に示す断面図である。
【図６】本発明の第１実施形態にかかる木質建材の製造方法の一例を示す図であって、目止め層の表面に隠蔽層を形成する工程を模式的に示す断面図である。
【図７】本発明の第１実施形態にかかる隠蔽層の形成に用いられる白色系塗料の塗布方法を模式的に示す図であって、（ａ）は、部位ごとに塗布密度を異ならせた状態で塗布する方法を模式的に示す断面図、（ｂ）は、部位ごとに塗布回数を異ならせた状態で塗布する方法を模式的に示す断面図である。
【図８】本発明の第１実施形態にかかる木質建材の製造方法の一例を示す図であって、隠蔽層の表面に着色層を形成する工程を模式的に示す断面図である。
【図９】本発明の第２実施形態にかかる木質建材を模式的に示す断面図である。
【図１０】本発明の第３実施形態にかかる木質建材を模式的に示す断面図である。
【図１１】本発明の第４実施形態にかかる木質建材を模式的に示す断面図である。
【発明を実施するための形態】
【００４１】
以下、本発明の実施形態について図面を参照しつつ詳細に説明する。なお、以下の実施形態およびその変形例には同様の構成要素が含まれている。よって、以下では、それら同様の構成要素には共通の符号を付与するとともに、重複する説明を省略する。
【００４２】
また、図面は模式的なものであり、厚みと平面寸法の関係等は、現実のものとは異なることに留意すべきである。また、本発明の技術的思想は、構成部品の材質、形状、構造、配置等を下記のものに特定するものでなく、特許請求の範囲に記載された技術的範囲内において、種々の変更を加えることができる。
【００４３】
（第１実施形態）
本実施形態にかかる木質建材１０は、床板などとして用いられるものであって、図１および図２に示すように、板状の基材部２０を備えている。
【００４４】
基材部２０は、例えば、平板である中密度繊維板（ＭＤＦ）からなる基材本体２１と、例えば、突板からなる化粧板２２と、を備えている。本実施形態では、基材本体２１の表面２１ａのほぼ全面（後述する溝部３０以外の部位、面取り部が形成されている場合には溝部３０および面取り部以外の部位）に化粧板２２が貼付されている。
【００４５】
化粧板２２の表面２２ａは、種々のデザイン（例えば、木目調など）で化粧されており、このように化粧された化粧板２２を基材本体２１の表面２１ａに設けるようにすれば、木質建材１０の意匠性を高めることができるようになる。
【００４６】
なお、本実施形態では、基材本体２１の表面２１ａに化粧板２２が設けられた木質建材１０を例示しているが、基材部２０の両面に化粧板２２が設けられていてもよいし、化粧板を設けないものとしてもよい。また、本実施形態では、略矩形板状の木質建材１０を例示しているが、木質建材の輪郭形状は矩形状に限らず、種々の形状とすることができる。
【００４７】
そして、基材本体２１と化粧板２２とで構成される基材部２０の表面２０ａには、化粧板２２側から基材本体２１まで達するように、溝部３０が形成されている。したがって、本実施形態では、基材部２０の表面２０ａは、平坦部２０ｂと溝部３０の内面３０ａとを有している。なお、溝部３０は、木質建材１０を床板として用いて床に敷き詰めた際に擬似目地として機能させることができるものである。
【００４８】
また、本実施形態では、同一方向（木質建材１０の長手方向）に延在する２本の溝部３０が形成されたものを図１に例示しているが、溝部３０の延在方向は木質建材１０の短手方向であってもよい。また、複数本の溝部３０を、少なくとも２つの溝部３０が交差するように形成することも可能である。
【００４９】
さらに、本実施形態では、この溝部３０内に加飾層５０が形成されており、加飾層５０によって、溝部３０内にも、種々のデザイン（例えば、木目調など）が形成されるようにしている。このとき、基材部２０の表面２０ａの平坦部２０ｂ（化粧板２２の表面２２ａ）に形成されたデザイン（色や柄）と同様のデザイン（色や柄）を溝部３０内に形成することができる。こうすれば、木質建材１０の表面を視た際に、溝部３０が目立ちすぎてしまうのを抑制することができ、木質建材１０の意匠性をより高めることができるようになる。特に、平坦部２０ｂおよび溝部３０内のデザインを木目調にすれば、一枚板で作成した板材に見た目を近づけることができる。
【００５０】
また、本実施形態では、溝部３０の内面３０ａを含む基材部２０の表面２０ａに形成された目止め層４０を介して、溝部３０内に加飾層５０を形成している。
【００５１】
このように、目止め層４０は、溝部３０の内面３０ａおよび化粧板２２の表面２２ａ、すなわち基材部２０の表面（片面）２０ａの全面に形成されている。そして、この目止め層４０は、基材本体２１および化粧板２２を目止めし、加飾層５０（特に、後述する隠蔽層６０）を形成する際に用いられる塗料（特に、白色系塗料８１）が基材本体２１等に染み込んでしまうのを抑制できるようにするものである。
【００５２】
目止め層４０は、例えば、スポンジ、ゴム等の弾性を有するローラを用いて、ＵＶ硬化性の塗料を塗布することで形成することができる。
【００５３】
加飾層５０は、溝部３０内における目止め層４０の表面４１の全面に白色系塗料８１を塗布することで形成される隠蔽層６０と、隠蔽層６０の表面６１の全面に、着色塗料８２を塗布することで形成される着色層７０と、を備えている。
【００５４】
隠蔽層６０は、溝部３０において着色層７０に対する白色系の下地として形成されるものであり、例えば、ＵＶ硬化性の白色系塗料８１をインクジェット８０ａにより塗布することで形成することができる。また、隠蔽層６０は、着色層７０の発色を支援するために形成されるものでもある。
【００５５】
一方、着色層７０は、例えば、加飾層５０が化粧板２２の表面２２ａと同様の外観を有するように、隠蔽層６０の表面６１の全面に形成されるものである。この着色層７０は、例えば、ＵＶ硬化性の着色塗料８２をインクジェット８０ｂにより塗布することで形成することができる。
【００５６】
なお、必要に応じて、目止め層４０の表面４１や隠蔽層６０の表面６１に保護層や光沢層を形成するようにしてもよい。
【００５７】
ここで、本実施形態では、２つの傾斜部３１，３１を備えるように溝部３０を形成している（図２参照）。そして、２つの傾斜部３１，３１が、それぞれ傾斜面３２，３２を有するようにしている。
【００５８】
この傾斜面３２は、基材部２０の表面２０ａに連なる一端３２ａ側（溝部３０の端部３０ｂ側）で深さが浅く、表面２０ａから離れる他端３２ｂ側（溝部３０の中央部３０ｃ側）で深さが深くなるように形成されている。
【００５９】
さらに、本実施形態では、傾斜面３２は湾曲部３３を備えている。この湾曲部３３は、一端３２ａ側（溝部３０の端部３０ｂ側）から他端３２ｂ側（溝部３０の中央部３０ｃ側）に向かうにつれて、湾曲部３３の仮想接平面（図示せず）と仮想水平面Ｐとのなす鋭角が徐々に大きくなるように形成されている。すなわち、湾曲部３３は、基材部２０の表面２０ａ側に凸となるように滑らかに湾曲している。
【００６０】
このように、本実施形態では、湾曲部３３が、一端３２ａ側と他端３２ｂ側とで傾斜が異なる面部に相当している。
【００６１】
なお、本実施形態では、一端３２ａ側と他端３２ｂ側とで傾斜が異なる面部として滑らかに連続して湾曲する湾曲部３３を例示している。しかしながら、面部の形状はこれに限らず、様々な形状とすることができる。例えば、傾斜面を一端３２ａ側から他端３２ｂ側にかけて段階的に傾斜が大きくなるように屈曲させて屈曲部を形成し、当該屈曲部を面部とすることも可能である。すなわち、複数の平坦な面を一端３２ａ側よりも他端３２ｂ側で傾斜が大きくなるように連設させて屈曲面を形成し、当該屈曲面を有する屈曲部を面部とすることが可能である。このような屈曲部を面部とした場合、当該面部は、一端３２ａ側の平坦な傾斜面と仮想水平面Ｐとのなす鋭角が小さく、他端３２ｂ側の平坦な傾斜面で仮想水平面Ｐとのなす鋭角が大きくなるように形成されることとなる。
【００６２】
なお、化粧板２２が貼付された側の基材部２０の周縁部に、他の基材部２０と隣接して配設されることにより溝部３０と同様の目地溝を構成するように、面取り部を形成することが可能である。このとき、基材部２０の周縁部に面取り部を形成する際に、一端３２ａ側と他端３２ｂ側とで傾斜が異なる面部を有するように面取り部を形成することも可能である。なお、上述した溝部３０は、周縁部に面取り部が形成された基材部２０を隣接させて配置した際に形成される目地溝に似せるために形成したものである。
【００６３】
ところで、上述したように、本実施形態では、傾斜面３２が一端３２ａ側と他端３２ｂ側とで傾斜が異なる面部（湾曲部３３）を有するようにしている。かかる構成とすると、単位投影面積あたりの塗布量を均一にした状態で白色系塗料８１を塗布した場合、図３の比較例に示すように、隠蔽層が、一端３２ａ側で層厚ｔ１が厚く他端３２ｂ側で薄い通常隠蔽層６００となってしまう。
【００６４】
なお、単位投影面積あたりの塗布量が均一であるとは、以下のようにして形成された領域内に存在する白色系塗料８１の量がほぼ同一であることを意味している。
【００６５】
まず、図４に示すように、湾曲部（面部）３３を仮想水平面Ｐに投影した際に形成される領域を水平投影領域Ｒとする。次に、水平投影領域Ｒを同一面積の投影正方形Ｓ１、Ｓ２…で複数に分割する。このとき、投影正方形Ｓ１、Ｓ２…を、面積が単位面積となるように設定する。なお、単位面積としては、例えば、１平方ミリメートルや１平方マイクロメートル等があげられるが、単位面積の大きさは適宜設定することが可能である。そして、このように形成された投影正方形Ｓ１、Ｓ２…を、単位投影面積を有する投影正方形と定義する。そして、湾曲部３３の表面３３ａのうち仮想水平面Ｐに投影した際に、単位投影面積を有する投影正方形Ｓ１、Ｓ２…となる領域を領域Ｒ１、Ｒ２…とする。
【００６６】
そして、湾曲部３３の表面３３ａにおいて、単位投影面積を有する投影正方形Ｓ１、Ｓ２…に対応する領域Ｒ１、Ｒ２…上に、ほぼ同量の白色系塗料８１を塗布すれば、図３に示す通常隠蔽層６００が形成される。
【００６７】
このようにして形成された通常隠蔽層６００の表面６００ａに、同様に単位投影面積あたりの塗布量を均一にした状態で着色塗料８２を塗布することで通常着色層７００が形成される。
【００６８】
そして、図３には、この通常隠蔽層６００と通常着色層７００とで形成された通常加飾層５００が形成された、通常木質建材１００が示されている。
【００６９】
このように、通常隠蔽層６００と通常着色層７００とで通常加飾層５００を形成すると、一端３２ａ側の隠蔽層６００の層厚ｔ１ａが、他端３２ｂ側の隠蔽層６００の層厚ｔ１ｂよりも大きくなってしまうため、通常厚み差ｄ１が比較的大きくなってしまう。
【００７０】
なお、通常厚み差ｄ１とは、通常隠蔽層６００における湾曲部（面部）３３と対応する部位の一端３２ａ側と他端３２ｂ側とで生じる厚みの差（ｔ１ａ−ｔ１ｂ）のことである。
【００７１】
そして、一端３２ａ側の隠蔽層の層厚ｔ１ａが、他端３２ｂ側の隠蔽層の層厚ｔ１ｂよりも大きくなってしまうと、通常加飾層５００の一端３２ａ側が明るくなってしまい、通常加飾層５００に色むらが生じてしまう場合がある。
【００７２】
このとき、溝部３０に形成されるデザインが単一色である場合や、木目調などの柄が形成されているが、背景色が単一色となっている場合には、色差（通常色差）ΔＥ2が比較的大きくなってしまう。なお、通常色差ΔＥ2とは、通常加飾層５００における湾曲部（面部）３３と対応する部位の一端３２ａ側と他端３２ｂ側とで生じる色差のことである。
【００７３】
このように、通常加飾層５００が形成された通常木質建材１００とすると、通常木質建材１００の見栄えが悪化してしまうことがある。
【００７４】
そこで、本実施形態では、木質建材１０の意匠性をより向上させることができるようにした。
【００７５】
具体的には、上述したように形成された通常木質建材１００と比較した際に、加飾層５０が、通常加飾層５００とは態様が異なるようにした。より具体的には、上述したように形成された通常木質建材１００と比較した際に、隠蔽層６０が、通常隠蔽層６００とは態様が異なるようにした。
【００７６】
本実施形態では、隠蔽層６０における湾曲部（面部）３３と対応する部位の一端３２ａ側と他端３２ｂ側とで生じる厚み差ｄ２が通常厚み差ｄ１よりも小さくなるようにすることで、隠蔽層６０と通常隠蔽層６００との態様を異ならせている。
【００７７】
なお、厚み差ｄ２は、一端３２ａ側の隠蔽層６０の層厚ｔ１ａと他端３２ｂ側の隠蔽層６０の層厚ｔ１ｂとの差（ｔ１ａ−ｔ１ｂ）のことである。
【００７８】
具体的には、投影正方形Ｓ１に対応する部分に含まれる白色系塗料８１の量と、投影正方形Ｓ２に対応する部分に含まれる白色系塗料８１の量とが異なるように、隠蔽層６０を形成している。
【００７９】
なお、投影正方形Ｓ１は、湾曲部（面部）３３の一端３２ａ側に位置しており、投影正方形Ｓ２は、湾曲部（面部）３３の他端３２ｂ側に位置している。
【００８０】
さらに、本実施形態では、湾曲部（面部）３３の傾斜が緩くなるにつれて、対応する投影正方形内に存在する白色系塗料８１の量が少なくなるように、隠蔽層６０を形成している。
【００８１】
こうすることで、隠蔽層６０の層厚ｔ１を湾曲部（面部）３３の一端３２ａ側から他端３２ｂ側にかけてほぼ同一の厚さとすることができるようになる。
【００８２】
なお、本実施形態では、着色層７０は、通常着色層７００と同様の態様をしている。すなわち、単位投影面積あたりの着色塗料８２の量が均一となるように着色層７０を形成しているため、着色層７０は、一端３２ａ側で層厚ｔ２（層厚ｔ２ａ）が厚く他端３２ｂ側で層厚ｔ２（層厚ｔ２ｂ）が薄くなるように形成されている。
【００８３】
このようにして形成された木質建材１０は、加飾層５０における湾曲部（面部）３３と対応する部位の一端３２ａ側と他端３２ｂ側とで生じる色差ΔＥ1が測定できる場合には、色差ΔＥ1が通常色差ΔＥ2よりも小さくなっている。なお、色差ΔＥ1が測定できる場合とは、上述したように、溝部３０に形成されるデザインが単一色である場合や、木目調などの柄が形成されているが、背景色が単一色となっている場合などである。
【００８４】
なお、色差ΔＥ1が測定できる場合には、色差ΔＥ1が０．８以下となるように、加飾層５０を形成するのが好ましい。こうすれば、一端３２ａ側と他端３２ｂ側との色の相異を、目視で認識することが難しくなるため、溝部３０の見た目をほぼ一様の状態とすることができる。また、加飾層５０のデザイン（色や柄）を、基材部２０の表面２０ａの平坦部２０ｂ（化粧板２２の表面２２ａ）に形成されたデザイン（色や柄）と同様のデザイン（色や柄）とすれば、溝部３０と平坦部２０ｂとの境界線をぼやかすことができる。その結果、木質建材１０の表面１０ａを視た際に、溝部３０が目立ちすぎてしまうのをより抑制することができるようになり、木質建材１０の意匠性をより一層高めることができるようになる。
【００８５】
かかる構成の木質建材１０は、例えば、以下の方法で製造することができる。
【００８６】
まず、前処理として、矩形のＭＤＦを基材本体２１として、基材本体２１の表面（片面）２１ａに突板である化粧板２２を貼付する。次いで、切削刃、切削ヘッド、レーザ加工ヘッド等を有する加工具により、基材本体２１が化粧板２２側から切削されることにより、溝部３０と、溝部３０を除く平坦部２０ｂとを有する木質の基材部２０を形成する。
【００８７】
次に、図５に示すように、ＵＶ硬化性の塗料を基材部２０の溝部３０を含む表面２０ａに塗布し、目止め層４０を形成する（目止め工程）。
【００８８】
このように、ＵＶ硬化性の塗料を用いることで、公知のＵＶ照射装置を用いて紫外線を照射して目止め層４０を硬化させることができる。
【００８９】
次に、図６に示すように、溝部３０内の目止め層４０の表面４０ａの全面にＵＶ硬化性の白色系塗料８１をインクジェット８０ａにより塗布して隠蔽層６０を形成する（隠蔽工程）。
【００９０】
このとき、投影正方形Ｓ１に対応する部分に含まれる白色系塗料８１の量と、投影正方形Ｓ２に対応する部分に含まれる白色系塗料８１の量と、が異なるように白色系塗料８１を塗布する。
【００９１】
なお、対応する投影正方形内に塗布される白色系塗料８１の量を異ならせる方法としては、例えば、図７（ａ）に示す方法がある。図７（ａ）に示す方法は、部位に応じてインクジェット８０ａにより塗布される白色系塗料８１の塗布密度を異ならせる方法である。
【００９２】
このように、部位に応じてインクジェット８０ａにより塗布される白色系塗料８１の塗布密度を異ならせることで、塗布密度が小さくなるにつれて、塗布される白色系塗料８１の量が少なくなる。
【００９３】
したがって、本実施形態では、インクジェット８０ａにより塗布される白色系塗料８１の塗布密度が、一端３２ａ側で小さくなるようにし、他端３２ｂ側で大きくなるようにすることとなる。
【００９４】
このように、インクジェット８０ａにより塗布される白色系塗料８１の塗布密度を部位ごとに異ならせた状態で、白色系塗料８１を塗布すれば、対応する投影正方形内に塗布される白色系塗料８１の量を部位ごとに異ならせることができる。
【００９５】
また、図７（ｂ）に示す方法で、対応する投影正方形内に塗布される白色系塗料８１の量を異ならせることも可能である。図７（ｂ）に示す方法は、部位に応じて塗布回数を異ならせ、塗布回数が多い部位により多くの白色系塗料８１を塗布するようにしたものである。
【００９６】
したがって、本実施形態では、インクジェット８０ａにより塗布される白色系塗料８１の塗布回数は、一端３２ａ側で少なく、他端３２ｂ側で多くなる。
【００９７】
そして、本実施形態では、白色系塗料８１としてＵＶ硬化性の塗料を用いているため、公知のＵＶ照射装置を用いて紫外線を照射することで隠蔽層６０を硬化させることができる。
【００９８】
また、インクジェット８０ａとしても、公知のものを用いることができる。なお、基材部２０の溝部３０の位置をレーザ変位計、撮像素子等を用いたセンサにより検知することで、塗装材（白色系塗料８１）を溝部３０に向けて正確に吐出するように構成するのが好ましい。
【００９９】
次に、図８に示すように、隠蔽層６０の表面６１に、ＵＶ硬化性の着色塗料８２をインクジェット８０ｂにより塗布して着色層７０を形成する（着色工程）。
【０１００】
本実施形態では、着色塗料８２としてＵＶ硬化性の塗料を用いているため、公知のＵＶ照射装置を用いて紫外線を照射することで着色層７０を硬化させることができる。
【０１０１】
また、インクジェット８０ｂとしても、公知のものを用いることができる。なお、基材部２０の溝部３０の位置をレーザ変位計、撮像素子等を用いたセンサにより検知することで、塗装材（着色塗料８２）を溝部３０に向けて正確に吐出するように構成するのが好ましい。
【０１０２】
なお、着色層７０は、一般的に、シアン塗料、マゼンダ塗料およびイエロー塗料の３つの塗料の配合を適宜設定することで所望の色の着色塗料８２とし、当該着色塗料８２を塗布することで形成されるものである。しかしながら、上記３つの塗料以外の塗料（例えば、ブラック塗料など）を混合可能なインクジェット８０ｂを用いることも可能である。
【０１０３】
このように、本実施形態では、加飾工程は、上述した目止め工程と隠蔽工程と着色工程とを有している。
【０１０４】
その後、必要に応じて、目止め層４０の表面４１や隠蔽層６０の表面６１に保護層や光沢層を形成する。
【０１０５】
こうして、溝部３０内が加飾層５０により加飾された木質建材１０が形成される。この木質建材１０は、隠蔽層６０における湾曲部（面部）３３と対応する部位の一端３２ａ側と他端３２ｂ側とで生じる厚み差ｄ２が通常厚み差ｄ１よりも小さくなっている。なお、このとき形成された木質建材１０は、色差ΔＥ1が測定できる場合には、色差ΔＥ1が通常色差ΔＥ2よりも小さくなっている。
【０１０６】
以上説明したように、本実施形態にかかる木質建材１０は、表面２０ａに傾斜部３１が形成された板状の基材部２０と、傾斜部３１に形成される加飾層５０と、を備えている。
【０１０７】
そして、加飾層５０は、傾斜部３１に白色系塗料８１を塗布することで形成される隠蔽層６０と、隠蔽層６０の表面６１に、着色塗料８２を塗布することで形成される着色層７０と、を備えている。
【０１０８】
さらに、傾斜部３１は、表面２０ａに連なる一端３２ａ側で深さが浅く、表面２０ａから離れる他端３２ｂ側で深さが深くなるように形成された傾斜面３２を有している。そして、傾斜面３２は、一端３２ａ側と他端３２ｂ側とで傾斜が異なる湾曲部（面部）３３を有している。
【０１０９】
ここで、加飾層５０を、以下で説明する方法により形成された通常加飾層５００と比較する。
【０１１０】
まず、湾曲部（面部）３３を仮想水平面Ｐに投影した際に形成される領域を水平投影領域Ｒとする。
【０１１１】
そして、水平投影領域Ｒを同一面積の投影正方形Ｓ１，Ｓ２…で複数に分割し、湾曲部（面部）３３のそれぞれの投影正方形Ｓ１、Ｓ２…に対応する部分に同量の白色系塗料８１を塗布した場合に形成される層を通常隠蔽層６００とする。
【０１１２】
また、通常隠蔽層６００のそれぞれの投影正方形Ｓ１、Ｓ２…に対応する部分に同量の着色塗料８２を塗布した場合に形成される層を通常着色層７００とする。
【０１１３】
そして、通常隠蔽層６００と通常着色層７００とで通常加飾層５００を形成する。このとき、通常隠蔽層６００における湾曲部（面部）３３と対応する部位の一端３２ａ側と他端３２ｂ側とで生じる厚みの差（ｔ１ａ−ｔ１ｂ）が通常厚み差ｄ１となっている。また、色差が測定できる場合には、通常加飾層５００における湾曲部（面部）３３と対応する部位の一端３２ａ側と他端３２ｂ側とで生じる色差は、通常色差ΔＥ2となっている。
【０１１４】
このようにして形成された通常の木質建材１００と比較して、本実施形態にかかる木質建材１０は、加飾層５０の態様が、通常加飾層５００の態様とは異なっている。具体的には、隠蔽層６０の態様が、通常隠蔽層６００の態様とは異なっている。
【０１１５】
そして、隠蔽層６０における湾曲部（面部）３３と対応する部位の一端３２ａ側と他端３２ｂ側とで生じる厚み差ｄ２が通常厚み差ｄ１よりも小さくなっている。
【０１１６】
具体的には、湾曲部（面部）３３の一端３２ａ側に位置する投影正方形Ｓ１に対応する部分に含まれる白色系塗料８１の量と、湾曲部（面部）３３の他端３２ｂ側に位置する投影正方形Ｓ２に対応する部分に含まれる白色系塗料８１の量とを異ならせている。このように、白色系塗料８１の量を傾斜に応じて異ならせて隠蔽層６０を形成することで、隠蔽層６０の態様を通常隠蔽層６００の態様と異ならせている。
【０１１７】
かかる構成とすることで、隠蔽層６０の層厚ｔ１を湾曲部（面部）３３の一端３２ａ側から他端３２ｂ側にかけてほぼ同一の厚さとすることができ、加飾層５０の湾曲部（面部）３３の一端３２ａ側が明るくなってしまうのを抑制することができる。その結果、溝部３０が目立ちすぎてしまうのを抑制することができ、木質建材１０の意匠性をより高めることができるようになる。
【０１１８】
また、本実施形態にかかる木質建材の製造方法は、加飾工程を備えている。この加飾工程は、傾斜部３１に白色系塗料８１をインクジェットにより塗布して隠蔽層６０を形成する隠蔽工程と、隠蔽層６０に着色塗料８２をインクジェットにより塗布して着色層７０を形成する着色工程と、を備えている。
【０１１９】
そして、傾斜面３１に形成された一端３２ａ側と他端３２ｂ側とで傾斜が異なる湾曲部（面部）３３に加飾層５０を形成する加飾工程は、以下で説明される方法と比較される。
【０１２０】
まず、湾曲部（面部）３３を仮想水平面Ｐに投影した際に形成される領域を水平投影領域Ｒとする。
【０１２１】
また、水平投影領域Ｒを同一面積の投影正方形Ｓ１、Ｓ２…で複数に分割した場合に、湾曲部（面部）３３のそれぞれの投影正方形Ｓ１、Ｓ２…に対応する部分に同量の白色系塗料８１を塗布する工程を通常隠蔽工程とする。
【０１２２】
また、通常隠蔽工程で形成された隠蔽層のそれぞれの投影正方形Ｓ１、Ｓ２…に対応する部分に同量の着色塗料８２を塗布する工程を通常着色工程とする。
【０１２３】
そして、通常隠蔽工程と通常着色工程とを有する通常加飾工程で通常加飾層５００を形成する。このとき形成された通常隠蔽層６００における湾曲部（面部）３３と対応する部位の一端３２ａ側と他端３２ｂ側とで生じる厚みの差（ｔ１ａ−ｔ１ｂ）が通常厚み差ｄ１となっている。また、色差が測定できる場合には、通常加飾層５００における湾曲部（面部）３３と対応する部位の一端３２ａ側と他端３２ｂ側とで生じる色差は、通常色差ΔＥ2となっている。
【０１２４】
このような通常の木質建材の製造方法と比較して、本実施形態にかかる木質建材の製造方法は、加飾工程における塗布態様を通常加飾工程とは異ならせている。具体的には、隠蔽工程における塗布態様を通常隠蔽工程における塗布態様とは異ならせている。そして、塗布態様を異ならせることで、隠蔽層６０における湾曲部（面部）３３と対応する部位の一端３２ａ側と他端３２ｂ側とで生じる厚み差ｄ２が通常厚み差ｄ１よりも小さくなるようにしている。
【０１２５】
具体的には、隠蔽工程では、湾曲部（面部）３３に白色系塗料８１をインクジェットにより塗布する際に、投影正方形Ｓ１に対応する部分と、投影正方形Ｓ２に対応する部分とで、含まれる白色系塗料８１の量が異なるように、白色系塗料８１を塗布している。
【０１２６】
かかる方法により木質建材１０を形成することで、隠蔽層６０の層厚ｔ１を湾曲部（面部）３３の一端３２ａ側から他端３２ｂ側にかけてほぼ同一の厚さとすることができ、加飾層５０の湾曲部（面部）３３の一端３２ａ側が明るくなってしまうのを抑制できる。その結果、溝部３０が目立ちすぎてしまうのを抑制することができ、木質建材１０の意匠性をより高めることができるようになる。
【０１２７】
また、色差が測定できる場合には、隠蔽層６０の塗布態様を異ならせるだけで、加飾層５０の一端３２ａ側と他端３２ｂ側の色差ΔＥ2を通常色差ΔＥ1よりも小さくすることができる。そのため、意匠性の高い木質建材１０をより容易に製造することができるようになる。
【０１２８】
このとき、隠蔽工程では、湾曲部（面部）３３の傾斜が小さくなるにつれて白色系塗料８１の塗布量が少なくなるように、白色系塗料８１をインクジェット８０ａにより塗布することが可能である。
【０１２９】
こうすれば、隠蔽層６０の層厚ｔ１を湾曲部（面部）３３の一端３２ａ側から他端３２ｂ側にかけてより均一にすることができる。さらに、一回の塗布工程で隠蔽層６０の層厚をより均一にできるため、製造工程の簡素化を図ることも可能となる。
【０１３０】
また、隠蔽工程では、湾曲部（面部）３３の傾斜が大きい部位に白色系塗料８１をインクジェット８０ａにより複数回塗布するようにすることも可能である。
【０１３１】
こうすることによっても、隠蔽層６０の層厚ｔ１を湾曲部（面部）３３の一端３２ａ側から他端３２ｂ側にかけてより均一にすることができるようになる。
【０１３２】
（第２実施形態）
本実施形態にかかる木質建材１０Ａは、基本的に上記第１実施形態の木質建材１０と同様の構成を備えている。
【０１３３】
すなわち、木質建材１０Ａは、図９に示すように、表面２０ａに傾斜部３１が形成された板状の基材部２０と、傾斜部３１に形成される加飾層５０と、を備えている。
【０１３４】
そして、加飾層５０は、傾斜部３１に白色系塗料８１を塗布することで形成される隠蔽層６０と、隠蔽層６０の表面６１に、着色塗料８２を塗布することで形成される着色層７０と、を備えている。
【０１３５】
さらに、傾斜部３１は、表面２０ａに連なる一端３２ａ側で深さが浅く、表面２０ａから離れる他端３２ｂ側で深さが深くなるように形成された傾斜面３２を有している。そして、傾斜面３２は、一端３２ａ側と他端３２ｂ側とで傾斜が異なる湾曲部（面部）３３を有している。
【０１３６】
また、加飾層５０の態様を、通常加飾層５００の態様とは異ならせ、隠蔽層６０における湾曲部（面部）３３と対応する部位の一端３２ａ側と他端３２ｂ側とで生じる厚み差ｄ２が通常厚み差ｄ１よりも小さくなるようにしている。
【０１３７】
特に、色差が測定できる場合には、加飾層５０における湾曲部（面部）３３と対応する部位の一端３２ａ側と他端３２ｂ側とで生じる色差ΔＥ1が通常色差ΔＥ2よりも小さくなるようにしている。
【０１３８】
ここで、本実施形態にかかる木質建材１０Ａが上記第１実施形態の木質建材１０と主に異なる点は、隠蔽層６０の層厚ｔ１が一端３２ａ側で薄くなるように隠蔽層６０を形成した点にある。
【０１３９】
具体的には、湾曲部（面部）３３の一端３２ａ側に位置する投影正方形Ｓ１に対応する部分に含まれる白色系塗料８１の量を、上記第１実施形態よりも少なくすることで、隠蔽層６０の層厚ｔ１が一端３２ａ側で薄くなるようにしている。
【０１４０】
したがって、隠蔽工程においては、湾曲部（面部）３３の一端３２ａ側に位置する投影正方形Ｓ１に対応する部分に塗布する白色系塗料８１の塗布量が、上記第１実施形態よりも少なくなる。
【０１４１】
なお、本実施形態では、隠蔽層６０の層厚ｔ１は、一端３２ａ側において、一端３２ａに向かうにつれて徐々に薄くなるようになっている。また、隠蔽層６０の層厚ｔ１は、一端３２ａ側以外では、ほぼ同一の厚さとなるように形成されている。したがって、図１１に記載の木質建材１０Ａでは、湾曲部（面部）３３の一端３２ａ側における隠蔽層６０の厚さが、他の部位における隠蔽層６０の厚さよりも薄くなっている。
【０１４２】
このとき、厚み差ｄ２の絶対値、すなわち、（ｔ１ａ−ｔ１ｂ）の絶対値が、通常厚み差ｄ１よりも大きくなってしまう可能性がある。しかしながら、厚み差ｄ２の絶対値が、通常厚み差ｄ１よりも大きくなってしまった場合であっても、実際の厚み差ｄ２、すなわち、（ｔ１ａ−ｔ１ｂ）の値は、負の値となる。したがって、傾斜の緩い一端３２ａ側における隠蔽層６０の厚さから傾斜のきつい他端３２ｂ側における隠蔽層６０の厚さを引いた値を厚み差と定義すれば、本実施形態においても、ｄ２＜ｄ１となっている。
【０１４３】
以上の本実施形態によっても、上記第１実施形態とほぼ同様の作用・効果を奏することができる。
【０１４４】
また、隠蔽層６０の層厚ｔ１が一端３２ａ側で薄くなるようにすることで、平坦部２０ｂと溝部３０との境界部におけるコントラストを下げることができるようになる。その結果、化粧面部（平坦部２０ｂ）およびインクジェット印刷部（溝部３０）を滑らかで連続性を有するように加飾することが可能となる。
【０１４５】
なお、隠蔽層６０の層厚ｔ１が一端３２ａ側で薄くなるようにすることで、比較的明るくなりやすい一端３２ａ側の加飾層５０の色をより確実に抑えることができ、木質建材１０の意匠性をより高めることができるようになるという利点もある。
【０１４６】
（第３実施形態）
本実施形態にかかる木質建材１０Ｂは、基本的に上記第１実施形態の木質建材１０と同様の構成を備えている。
【０１４７】
すなわち、木質建材１０Ｂは、図１０に示すように、表面２０ａに傾斜部３１が形成された板状の基材部２０と、傾斜部３１に形成される加飾層５０と、を備えている。
【０１４８】
そして、加飾層５０は、傾斜部３１に白色系塗料８１を塗布することで形成される隠蔽層６０と、隠蔽層６０の表面６１に、着色塗料８２を塗布することで形成される着色層７０と、を備えている。
【０１４９】
さらに、傾斜部３１は、表面２０ａに連なる一端３２ａ側で深さが浅く、表面２０ａから離れる他端３２ｂ側で深さが深くなるように形成された傾斜面３２を有している。そして、傾斜面３２は、一端３２ａ側と他端３２ｂ側とで傾斜が異なる湾曲部（面部）３３を有している。
【０１５０】
また、加飾層５０の態様を、通常加飾層５００の態様とは異ならせている。特に、色差が測定できる場合には、加飾層５０における湾曲部（面部）３３と対応する部位の一端３２ａ側と他端３２ｂ側とで生じる色差ΔＥ1が通常色差ΔＥ2よりも小さくなるようにしている。
【０１５１】
ここで、本実施形態にかかる木質建材１０Ｂが上記第１実施形態の木質建材１０と主に異なる点は、着色層７０の態様を、通常着色層７００の態様とは異ならせた点にある。
【０１５２】
具体的には、着色層７０の一端３２ａ側における層厚ｔ２（層厚ｔ２ａ）を、通常着色層７００の一端３２ａ側における層厚ｔ２（層厚ｔ２ａ）よりも厚くなるようにした。
【０１５３】
より詳しく説明すると、まず、単位投影面積を有する投影正方形Ｓ１、Ｓ２…に対応する領域Ｒ１、Ｒ２…上にほぼ同量の白色系塗料８１を塗布することで、隠蔽層６０を形成する。このとき形成された隠蔽層６０は、図３に示す通常隠蔽層６００とほぼ同様の形状となる。すなわち、一端３２ａ側で層厚ｔ１が厚く他端３２ｂ側で薄くなっている。
【０１５４】
そして、この隠蔽層６０の表面６１の全面に、着色塗料８２を塗布することで、着色層７０を形成する。このとき、湾曲部（面部）３３の一端３２ａ側に位置する投影正方形Ｓ１に対応する部分に含まれる着色塗料８２の量と、湾曲部（面部）３３の他端３２ｂ側に位置する投影正方形Ｓ２に対応する部分に含まれる着色塗料８２の量とを異ならせている。具体的には、湾曲部（面部）３３の傾斜が緩くなるにつれて、着色塗料８２の量および着色塗料８２の塗布量が多くなるように、着色層７０を形成している。
【０１５５】
こうすることで、隠蔽層６０の層厚ｔ１が厚い部位に対応する部位における層厚ｔ２がより厚くなった着色層７０を形成することができる。
【０１５６】
すなわち、着色層７０の厚み差ｄ４は、通常着色層７００の通常厚み差ｄ３よりも大きくなっている。
【０１５７】
なお、通常厚み差ｄ３とは、通常着色層７００における湾曲部（面部）３３と対応する部位の一端３２ａ側と他端３２ｂ側とで生じる厚みの差（ｔ２ａ−ｔ２ｂ）のことである。
【０１５８】
また、厚み差ｄ４とは、着色層７０における湾曲部（面部）３３と対応する部位の一端３２ａ側と他端３２ｂ側とで生じる厚みの差（ｔ２ａ−ｔ２ｂ）のことである。
【０１５９】
こうすることで、加飾層５０の湾曲部（面部）３３の一端３２ａ側が明るくなってしまうのを抑制できる。
【０１６０】
なお、本実施形態では、シアン塗料、マゼンダ塗料およびイエロー塗料の３つの塗料のみを用いて着色層７０を形成したものを例示している。しかしながら、上記３つの塗料以外の塗料（例えば、ブラック塗料など）を混合可能なインクジェット８０ｂを用いて着色層７０を形成することも可能である。
【０１６１】
例えば、３つの塗料の他にブラック塗料を用いて着色層７０を形成すれば、Ｓ１の領域内に存在する着色塗料８２の量を少なくしつつ、加飾層５０の湾曲部（面部）３３の一端３２ａ側が明るくなってしまうのを抑制することができる。
【０１６２】
したがって、例えば、一端３２ａ側に塗布する着色塗料８２を、ブラック塗料を混合させたものとした場合、シアン塗料、マゼンダ塗料およびイエロー塗料の３つの塗料のみを着色塗料として用いた場合に較べて、着色塗料８２の量が少なくなる。すなわち、着色層７０の一端３２ａ側における層厚ｔ２を通常よりも薄くすることができる。
【０１６３】
そのため、色差の測定が可能な場合、かつ、ブラック塗料が用いられている場合には、領域Ｒ２上に塗布する量よりも多くの着色塗料８２を領域Ｒ１上に塗布することなく、色差ΔＥ1を通常色差ΔＥ2よりも小さくことができる。
【０１６４】
すなわち、湾曲部３３の表面３３ａにおける領域Ｒ１上に、領域Ｒ２上に塗布する着色塗料８２の量と同量もしくはそれ以下の量の着色塗料８２を塗布することで、色差ΔＥ1を通常色差ΔＥ2よりも小さくすることができる。
【０１６５】
このとき、着色層７０の厚み差ｄ４は、通常着色層７００の通常厚み差ｄ３と同じ、もしくは、それ以下となっている。
【０１６６】
しかしながら、この場合にあっても、一端３２ａ側に形成された着色層７０の色は、シアン塗料、マゼンダ塗料およびイエロー塗料の３つの塗料のみを着色塗料８２として用いて再現することが可能である。そして、かかる方法で再現した場合には、湾曲部３３の一端３２ａ側に位置する投影正方形Ｓ１に対応する部分に含まれる着色塗料８２の量は、湾曲部３３の他端３２ｂ側に位置する投影正方形Ｓ２に対応する部分に含まれる着色塗料８２の量よりも多くなる。
【０１６７】
したがって、ブラック塗料を混合させることで、着色塗料８２の量を少なくしつつより暗い色味を出すようにした場合、３つの塗料のみを着色塗料８２として用いて再現した際の着色塗料８２の使用量に換算することができる。すなわち、ブラック塗料を用いた着色塗料の使用量は、上述の方法で換算した着色塗料８２の使用量とみなすことができる。
【０１６８】
そして、着色塗料８２の使用量とみなされた換算量で、Ｓ１に対応する部位に塗布される量（Ｓ１に対応する部位に存在する量）とＳ２に対応する部位に塗布される量（Ｓ２に対応する部位に存在する量）とを比較すれば、Ｓ１側（一端３２ａ側）が多くなる。
【０１６９】
このように、ブラック塗料を用いた場合であっても、実質的に、３つの塗料のみを着色塗料８２として用い、投影正方形Ｓ１に対応する部分と投影正方形Ｓ２に対応する部分とで、含まれる着色塗料８２の量を異ならせて着色層７０を形成したことと同じになる。このとき、着色層７０の厚み差ｄ４は、通常着色層７００の通常厚み差ｄ３よりも大きくなる。
【０１７０】
このように、本実施形態では、シアン塗料、マゼンダ塗料およびイエロー塗料の３つの塗料のみを着色塗料として用いて再現した場合に、投影正方形Ｓ１に対応する部分と投影正方形Ｓ２に対応する部分とに含まれる着色塗料８２の量が異なるようにしている。
【０１７１】
すなわち、着色層７０の態様および塗布態様を異ならせることで、加飾層５０の態様および加飾工程の塗布態様を異ならせている。
【０１７２】
かかる構成とすることによっても、上記第１実施形態とほぼ同様の作用・効果を奏することができる。
【０１７３】
（第４実施形態）
本実施形態にかかる木質建材１０Ｃは、基本的に上記第１実施形態の木質建材１０と同様の構成を備えている。
【０１７４】
すなわち、木質建材１０Ｃは、図１１に示すように、表面２０ａに傾斜部３１が形成された板状の基材部２０と、傾斜部３１に形成される加飾層５０と、を備えている。
【０１７５】
そして、加飾層５０は、傾斜部３１に白色系塗料８１を塗布することで形成される隠蔽層６０と、隠蔽層６０の表面６１に、着色塗料８２を塗布することで形成される着色層７０と、を備えている。
【０１７６】
さらに、傾斜部３１は、表面２０ａに連なる一端３２ａ側で深さが浅く、表面２０ａから離れる他端３２ｂ側で深さが深くなるように形成された傾斜面３２を有している。そして、傾斜面３２は、一端３２ａ側と他端３２ｂ側とで傾斜が異なる湾曲部（面部）３３を有している。
【０１７７】
また、加飾層５０の態様を、通常加飾層５００の態様とは異ならせ、隠蔽層６０における湾曲部（面部）３３と対応する部位の一端３２ａ側と他端３２ｂ側とで生じる厚み差ｄ２が通常厚み差ｄ１よりも小さくなるようにしている。
【０１７８】
特に、色差が測定できる場合には、加飾層５０における湾曲部（面部）３３と対応する部位の一端３２ａ側と他端３２ｂ側とで生じる色差ΔＥ1が通常色差ΔＥ2よりも小さくなるようにしている。
【０１７９】
ここで、本実施形態にかかる木質建材１０Ｃが上記第１実施形態の木質建材１０と主に異なる点は、湾曲部（面部）３３が傾斜面３２の一部（一端３２ｂ側：溝部３０の両端部）にのみ形成されている点にある。
【０１８０】
そして、湾曲部（面部）３３の上部に形成される加飾層５０の態様および加飾層５０の製造方法は、上記第１実施形態で示したものと同様になっている。
【０１８１】
なお、溝部３０の中央部には、一定の角度で傾斜する傾斜面３２Ｃが形成されている。この傾斜面３２Ｃには、通常の方法（単位投影面積あたりの塗布量が均一となるように、白色系塗料８１および着色塗料８２を塗布する）により加飾層５０（隠蔽層６０および着色層７０）が形成されている。このとき傾斜面３２Ｃに形成される加飾層５０は、隠蔽層６０の厚さが均一で、着色層７０の厚さも均一となっている。
【０１８２】
以上の本実施形態によっても、上記第１実施形態とほぼ同様の作用・効果を奏することができる。
【０１８３】
なお、上記第１〜第４実施形態で示した構成を適宜組み合わせて、木質建材の意匠性をより向上させるようにすることも可能である。
【０１８４】
例えば、上記第１実施形態や第２実施形態で示したように、隠蔽層６０の厚さを調整して通常隠蔽層６００とは態様が異なるようにした上で、着色層７０の厚さも調整して通常着色層７００とは態様が異なるようにしてもよい。
【０１８５】
このとき、上記第３実施形態で示した態様とは反対の態様となるように着色層７０の厚さを調整してもよい。すなわち、着色層７０の厚み差ｄ４が通常着色層７００の通常厚み差ｄ３よりも小さくなるようにしてもよい。
【０１８６】
以上、本発明の好適な実施形態について説明したが、本発明は上記実施形態およびその変形例には限定されず、種々の変形が可能である。
【０１８７】
例えば、基材部２０の周縁部に、一端３２ａ側と他端３２ｂ側とで傾斜が異なる面部を有するように面取り部を形成し、このような面取り部に加飾層５０を形成する場合に、本発明を適用することができる。
【０１８８】
また、基材部や化粧板、その他細部の構成は、上述の構成に限るものではなく、適宜に変更することが可能である。
【符号の説明】
【０１８９】
１０、１０Ａ、１０Ｂ、１０Ｃ  木質建材
２０  基材部
２０ａ  表面
３１  傾斜部
３２  傾斜面
３２ａ  一端
３２ｂ  他端
３３  湾曲面（面部）
５０  加飾層
６０  隠蔽層
６１  表面
７０  着色層
８０ａ  インクジェット
８０ｂ  インクジェット
８１  白色系塗料
８２  着色塗料
１００  通常木質建材
５００  通常加飾層
６００  通常隠蔽層
７００  通常着色層
ｄ１  通常厚み差
ｄ２  厚み差
ｄ３  通常厚み差
ｄ４  厚み差
Ｐ  仮想水平面
Ｒ  水平投影領域
Ｓ１、Ｓ２  投影正方形
【図１】
0006455754.tif 000002
【図２】
0006455754.tif 000003
【図３】
0006455754.tif 000004
【図４】
0006455754.tif 000005
【図５】
0006455754.tif 000006
【図６】
0006455754.tif 000007
【図７】
0006455754.tif 000008
【図８】
0006455754.tif 000009
【図９】
0006455754.tif 000010
【図１０】
0006455754.tif 000011
【図１１】
0006455754.tif 000012